(57)【要約】【課題】現場での作業性を向上し、美観と安全性を確保しやすい、笠木接合部材、および、笠木連結構造体を提供する。【解決手段】笠木接合部材１は、笠木底面５４、笠木頂面５６、および笠木側面５８を有して端面５２ｔを向い合せた２つの笠木５２を接合する。笠木接合部材１は、笠木底面５４の上方に位置する底部１２、笠木頂面５６に対する頂部１４、および笠木側面５８に対する側部１６を有して端面５２ｔのそれぞれに向き合う板状の仕切り部１０を備える。仕切り部１０は、頂部１４から延びて２つの笠木頂面５６を覆う頂面被覆部１４ｃと、側部１６から延びて２つの笠木側面５８を覆い笠木底面５４の下方に下端１７を有する側面被覆部１６ｃと、取付壁と側面被覆部１６ｃの間で底部１２から下垂して下方に開放した凹部２０を有する下垂部１８と、を備える。凹部２０は、笠木底面５４を下方に対して遮蔽する底面遮蔽部材３０を保持する。【選択図】図１
2019052452.tif 000002
【特許請求の範囲】
【請求項１】
取付壁の端部に取り付けられた笠木底面、前記笠木底面の反対側で露出する笠木頂面、および前記笠木底面と前記笠木頂面との間に位置する一対の笠木側面を有して長さ方向の端面を向い合せた２つの笠木を接合する笠木接合部材であって、
前記笠木底面の上方に位置する底部、前記笠木頂面に対する頂部、および一対の前記笠木側面に対する一対の側部を有して前記端面のそれぞれに向き合う板状の仕切り部を備え、
前記仕切り部は、前記頂部から延びて２つの前記笠木頂面を覆う頂面被覆部と、一対の前記側部からそれぞれ延びて２つの前記笠木側面をそれぞれ覆い前記笠木底面の下方に下端を有する一対の側面被覆部と、前記取付壁と前記側面被覆部の間のそれぞれで前記底部から下垂して下方に開放した凹部を有する一対の下垂部と、を備え、
一対の前記凹部は、前記笠木底面を下方に対して遮蔽する底面遮蔽部材をそれぞれ保持すること
を特徴とする笠木接合部材。
【請求項２】
請求項１に記載の笠木接合部材であって、
前記底面遮蔽部材は、前記凹部に挿入された柱状部と、前記笠木底面に沿って前記取付壁から前記側面被覆部までにわたって位置し、前記柱状部に連結された遮蔽板部と、を有すること
を特徴とする笠木接合部材。
【請求項３】
請求項２に記載の笠木接合部材であって、
一対の前記凹部は、それぞれ前記取付壁の側に位置する内側内壁と、前記内側内壁に向き合って前記側部の側に位置する外側内壁とを有し、
前記柱状部は、前記内側内壁に当接する内側柱と、前記外側内壁に当接する外側柱と、を有すること
を特徴とする笠木接合部材。
【請求項４】
請求項３に記載の笠木接合部材であって、
前記内側内壁および外側内壁は、固定ピッチで複数回繰り返される凹凸部をそれぞれ有し、
前記内側内壁に当接する前記内側柱の内側面は、前記凹凸部に嵌る複数の突起部を有し、前記外側内壁に当接する前記外側柱の外側面は、前記凹凸部に嵌る複数の突起部を有すること
を特徴とする笠木接合部材。
【請求項５】
請求項４に記載の笠木接合部材であって、
前記凹凸部は、三角波の波形状であり、前記突起部は、前記凹凸部が有する凹の位置に嵌る錐形状であること
を特徴とする笠木接合部材。
【請求項６】
取付壁の端部に取り付けられた２つの笠木と、前記笠木の間に配置されて前記笠木を接合する笠木接合部材と、を備える笠木連結構造体であって、
前記笠木接合部材は、請求項１から請求項５までのいずれか一つに記載の笠木接合部材であることを特徴とする笠木連結構造体。
【発明の詳細な説明】
【技術分野】
【０００１】
本発明は、長さ方向に配置された２つの笠木を接合する笠木接合部材、および笠木接合部材が適用された笠木連結構造体に関する。
【背景技術】
【０００２】
階段壁、手摺壁などは、端部において下地が露出し、美観を壊し、また安全性にも欠けるので、端部に笠木が載置されて美観と安全性が確保される。以下、本願では、階段壁、手摺壁などの笠木が取付けられる壁を単に取付壁とする。
取付壁に笠木を取り付ける場合、２つの笠木を連結することがある。２つの笠木を連結する場合、笠木の間に生じた隙間に対処する必要が生じる。笠木の間に配置される部材として、笠木の連結部材が知られている（例えば、特許文献１参照。）。
引用文献１に記載の連結部材は、連結部材として多くの部材が必要とされ、現場での組み立て工程が多くなり、作業者に負担が掛かりやすい。
【先行技術文献】
【特許文献】
【０００３】
【特許文献１】特開２００８−１９６１８０号公報
【発明の概要】
【発明が解決しようとする課題】
【０００４】
引用文献１に記載の従来技術では、部材点数が多く現場での作業性が低下しやすいという課題があった。
本発明はこのような状況に鑑みてなされたものであり、部材点数を抑制して、現場での作業性を向上し、美観と安全性を確保しやすい笠木接合部材を提供することを目的とする。
また、本発明は、本発明に係る笠木接合部材を２つの笠木の間に適用することにより、美観と安全性を確保しやすく、作業性を向上できる笠木連結構造体を提供することを他の目的とする。
【課題を解決するための手段】
【０００５】
本発明に係る笠木接合部材は、取付壁の端部に取り付けられた笠木底面、前記笠木底面の反対側で露出する笠木頂面、および前記笠木底面と前記笠木頂面との間に位置する一対の笠木側面を有して長さ方向の端面を向い合せた２つの笠木を接合する笠木接合部材であって、前記笠木底面の上方に位置する底部、前記笠木頂面に対する頂部、および一対の前記笠木側面に対する一対の側部を有して前記端面のそれぞれに向き合う板状の仕切り部を備え、前記仕切り部は、前記頂部から延びて２つの前記笠木頂面を覆う頂面被覆部と、一対の前記側部からそれぞれ延びて２つの前記笠木側面をそれぞれ覆い前記笠木底面の下方に下端を有する一対の側面被覆部と、前記取付壁と前記側面被覆部の間のそれぞれで前記底部から下垂して下方に開放した凹部を有する一対の下垂部と、を備え、一対の前記凹部は、前記笠木底面を下方に対して遮蔽する底面遮蔽部材をそれぞれ保持することを特徴とする。
したがって、本発明に係る笠木接合部材は、部材点数を抑制して、美観と安全性を確保し、現場での作業性を向上しやすい。
【０００６】
また、本発明の一実施の形態に係る笠木接合部材では、前記底面遮蔽部材は、前記凹部に挿入された柱状部と、前記笠木底面に沿って前記取付壁から前記側面被覆部までにわたって位置し、前記柱状部に連結された遮蔽板部と、を有することを特徴とする。
また、本発明の一実施の形態に係る笠木接合部材では、一対の前記凹部は、それぞれ前記取付壁の側に位置する内側内壁と、前記内側内壁に向き合って前記側部の側に位置する外側内壁とを有し、前記柱状部は、前記内側内壁に当接する内側柱と、前記外側内壁に当接する外側柱と、を有することを特徴とする。
また、本発明の一実施の形態に係る笠木接合部材では、前記内側内壁および外側内壁は、固定ピッチで複数回繰り返される凹凸部をそれぞれ有し、前記内側内壁に当接する前記内側柱の内側面は、前記凹凸部に嵌る複数の突起部を有し、前記外側内壁に当接する前記外側柱の外側面は、前記凹凸部に嵌る複数の突起部を有することを特徴とする。
また、本発明の一実施の形態に係る笠木接合部材では、前記凹凸部は、三角波の波形状であり、前記突起部は、前記凹凸部が有する凹の位置に嵌る錐形状であることを特徴とする。
【０００７】
本発明に係る笠木連結構造体は、取付壁の端部に取り付けられた２つの笠木と、前記笠木の間に配置されて前記笠木を接合する笠木接合部材と、を備える笠木連結構造体であって、前記笠木接合部材は、本発明に係る笠木接合部材であることを特徴とする。
したがって、本発明に係る笠木連結構造体は、２つの笠木の間に本発明に係る笠木接合部材を適用するので、美観と安全性を確保しやすい。また、施工上の負荷を低減し作業性を向上しやすい。
【発明の効果】
【０００８】
本発明に係る笠木接合部材は、部材点数を抑制して、美観と安全性を確保し、現場での作業性を向上しやすいという効果を奏する。
また、本発明に係る笠木連結構造体は、本発明に係る笠木接合部材を２つの笠木の間に適用するので、美観と安全性を確保し、作業性を向上しやすいという効果を奏する。
【図面の簡単な説明】
【０００９】
【図１】本発明の実施の形態１に係る笠木接合部材の概要を模式的に示す斜視図である。
【図２】図１に示した矢印ＳＦ２−ＳＦ２における笠木接合部材の断面状態を拡大して模式的に示す拡大模式断面図である。
【図３】図１に示した笠木接合部材が有する下垂部を拡大して示す拡大正面図である。
【図４】図１に示した笠木接合部材の一部を構成する底面遮蔽部材を拡大して説明する拡大説明図であり、（Ａ）は平面図、（Ｂ）は正面図、（Ｃ）は側面図である。
【図５】図１に示した笠木接合部材の下垂部が有する凹部に底面遮蔽部材が挿入される状態を拡大して示す拡大説明図であり、（Ａ）は底面遮蔽部材の一部が挿入された状態を示す正面図、（Ｂ）は挿入された底面遮蔽部材の位置が調整された後の状態を示す正面図である。
【図６】本発明の実施の形態２に係る笠木連結構造体の形成方法を示し、笠木を取付壁に取り付けた後、仕切り部を笠木に取り付けるときの工程を示し、笠木に仕切り部を取り付ける前の状態を模式的に示す模式工程図である。
【図７】図６に示した工程の後、一方の笠木に固定された仕切り部に底面遮蔽部材を挿入するときの工程を示し、仕切り部に底面遮蔽部材を挿入する前の状態を模式的に示す模式工程図である。
【図８】図７に示した工程の後、他方の笠木を笠木接合部材に連結するときの工程を示し、笠木接合部材に対して他方の笠木を位置合わせする状態を模式的に示す模式工程図である。
【図９】図８に示した工程の後、一方の笠木に連結された笠木接合部材と、笠木接合部材に更に連結された他方の笠木とで笠木連結構造体が形成された状態を模式的に示す斜視図である。
【図１０】本発明の実施の形態３に係る笠木連結構造体の構造例を模式体に示す斜視図である。
【図１１】図１０に示した笠木連結構造体の単一水平面における連結状態を拡大して示す拡大平面図である。
【発明を実施するための形態】
【００１０】
以下、図面（図１ないし図１１）を参照して本発明の実施の形態について説明する。
［実施の形態１］図１〜図５
図１ないし図５を参照して、本発明の実施の形態１に係る笠木接合部材１について説明する。
図１は、本発明の実施の形態１に係る笠木接合部材１の概要を模式的に示す斜視図である。
図２は、図１に示した矢印ＳＦ２−ＳＦ２における笠木接合部材１の断面状態を拡大して模式的に示す拡大模式断面図である。
図３は、図１に示した笠木接合部材１が有する下垂部１８を拡大して示す拡大正面図である。
なお、図１〜図３において、笠木５２を参考に想像線（２点鎖線）で示す。図３では、相互位置の関係から笠木底面５４のみが示される。
図４は、図１に示した笠木接合部材１の一部を構成する底面遮蔽部材３０を拡大して説明する拡大説明図であり、（Ａ）は平面図、（Ｂ）は正面図、（Ｃ）は側面図である。
図５は、図１に示した笠木接合部材１の下垂部１８が有する凹部２０に底面遮蔽部材３０が挿入される状態を拡大して示す拡大説明図であり、（Ａ）は底面遮蔽部材３０の一部が挿入された状態を示す正面図、（Ｂ）は挿入された底面遮蔽部材３０の位置が調整された後の状態を示す正面図である。
【００１１】
笠木接合部材１は、取付壁６０（図５、図６〜図１０参照）の端部６１に取り付けられた笠木底面５４、笠木底面５４の反対側で露出する笠木頂面５６、および笠木底面５４と笠木頂面５６との間に位置する一対の笠木側面５８を有して長さ方向の端面５２ｔを向い合せた２つの笠木５２を接合する（図２）。
笠木底面５４の上方に位置する底部１２、笠木頂面５６に対する頂部１４、および一対の笠木側面５８に対する一対の側部１６を有して端面５２ｔのそれぞれに向き合う板状の仕切り部１０を備える。
仕切り部１０は、頂部１４から延びて２つの笠木頂面５６を覆う頂面被覆部１４ｃと、一対の側部１６からそれぞれ延びて２つの笠木側面５８をそれぞれ覆い笠木底面５４の下方に下端１７を有する一対の側面被覆部１６ｃと、取付壁６０と側面被覆部１６ｃの間のそれぞれで底部１２から下垂して下方に開放した凹部２０を有する一対の下垂部１８と、を備える。
一対の凹部２０は、笠木底面５４を下方に対して遮蔽する底面遮蔽部材３０をそれぞれ保持する。図１、図３は、凹部２０に底面遮蔽部材３０が挿入される前で、笠木接合部材１が完成する前の状態を示す。
なお、笠木５２が載置される取付壁６０とは、例えば、階段壁、手摺壁などの笠木５２が載置されて美観と安全が確保される壁である。また、上方または下方との方向は、笠木底面５４から笠木頂面５６を向く方向を上方とし、笠木頂面５６から笠木底面５４を向く方向を下方として説明する。
【００１２】
笠木接合部材１は、笠木５２の間に位置する仕切り部１０の頂部１４に頂面被覆部１４ｃを有し、仕切り部１０の側部１６に側面被覆部１６ｃを有する。頂面被覆部１４ｃおよび側面被覆部１６ｃは、それぞれの端面５２ｔが向き合う両方の笠木５２の笠木頂面５６および笠木側面５８を一体に被覆するので連結された笠木５２の表面（笠木頂面５６側および笠木側面５８側）の美観を整える。
また、取付壁６０と側面被覆部１６ｃの間で底部１２から下垂した一対の下垂部１８は、それぞれ下方に開放した凹部２０を中央（取付壁６０と側面被覆部１６ｃの間）に備える。一対の凹部２０は、開放された下方から挿入方向ＤＰで挿入された底面遮蔽部材３０を挟んで保持する。底面遮蔽部材３０は、取付壁６０と側面被覆部１６ｃとの間で露出した笠木底面５４を下方に対して遮蔽する。
【００１３】
このため、底面遮蔽部材３０は、取付壁６０から露出した笠木底面５４が下方に生じる散部５４ｂ（図５（Ａ））を外部から遮蔽して笠木５２の下方における美観を整える。底面遮蔽部材３０は、下垂部１８が有する凹部２０に差し込まれて保持される。このため、底面遮蔽部材３０は、部品点数が抑制され、設置作業も挿入工程という単一の作業で良いので、笠木５２が設置される現場での作業性を向上しやすい。
つまり、笠木接合部材１は、笠木頂面５６の側および笠木側面５８の側の美観を確保し、更に下方の美観を確保しやすい。また、笠木接合部材１は、美観を確保するための作業を簡易化するので、笠木接合部材１を取り付ける時の作業性を向上しやすい。また、笠木接合部材１は、笠木５２の間での隙間における段差を隠して安全性を向上しやすい。また、部材点数を抑制するので生産性を向上しやすい。
すなわち、笠木接合部材１は、部材点数を抑制して、美観と安全性を確保し、現場での作業性を向上しやすい。
下垂部１８は、側面被覆部１６ｃと連結している。これにより、下垂部１８および側面被覆部１６ｃの強度を互いに補強しやすくなり、信頼性を向上しやすい。
【００１４】
頂面被覆部１４ｃと側面被覆部１６ｃとは相互に一体として配置され、外側は面取りなどの適宜の装飾を施された形状を有するので全体の美観を向上させる。また、頂面被覆部１４ｃと側面被覆部１６ｃは、仕切り部１０として一体に形成されるので比較的容易に製造される。仕切り部１０（頂面被覆部１４ｃ、側面被覆部１６ｃ、下垂部１８）は、適宜の硬度を有する硬性の合成樹脂で一体に樹脂成形される。また、下垂部１８が有する凹部２０に保持される底面遮蔽部材３０は、仕切り部１０と同様の合成樹脂で樹脂成形される。
底部１２は、笠木５２の笠木底面５４より上方に位置する。これにより、底部１２から下垂部１８を突出して位置させ、下垂部１８（凹部２０）に底面遮蔽部材３０を保持させるので、笠木底面５４が生じる散部５４ｂを外部から遮蔽できる。笠木５２の端面５２ｔと仕切り部１０は、相互の位置を調整された状態で、適宜の接着剤で互いに接合されるので高い精度で位置決めされる。
【００１５】
底面遮蔽部材３０（図４、図５）は、凹部２０に挿入された柱状部３２と、笠木底面５４に沿って取付壁６０（端部６１）から側面被覆部１６ｃまでにわたって位置し、柱状部３２に連結された遮蔽板部３８と、を有する。
底面遮蔽部材３０は、凹部２０に挿入された柱状部３２と、凹部２０の外で柱状部３２に連結され取付壁６０から側部１６まで位置する遮蔽板部３８と、を備えるので、笠木底面５４の下方に生じる散部５４ｂを外部から遮蔽しやすい。遮蔽板部３８は、取付壁６０から側面被覆部１６ｃまでに位置するので、露出する笠木底面５４が生じる散部５４ｂを外部から確実に遮蔽しやすい。
底面遮蔽部材３０は、柱状部３２が凹部２０に挿入されて保持される形態であるので、笠木５２が設置される現場での作用性が向上する。
遮蔽板部３８において、仕切り部１０に沿う方向での長さ寸法Ｌｓは、取付壁６０から側面被覆部１６ｃまでの間隔を埋める長さが好ましい。また、仕切り部１０と交差する方向での幅寸法Ｗｓは、２つの笠木５２の連結方向において頂面被覆部１４ｃが被覆する寸法と略同一であることが好ましい。遮蔽板部３８は、下方に対して平面状の表面を有する。これにより、美観と安全性を確保しやすい。
【００１６】
一対の凹部２０は、それぞれ取付壁６０の側に位置する内側内壁２２と、内側内壁２２に向き合って側部１６の側に位置する外側内壁２４とを有し、柱状部３２は、内側内壁２２に当接する内側柱３４と、外側内壁２４に当接する外側柱３６と、を有する。
凹部２０は、取付壁６０に沿って取付壁６０の側に位置する内側内壁２２と、内側内壁２２に向き合って側部１６の側に位置する外側内壁２４とを有するので安定した嵌め込み形状が確保され、柱状部３２の挿入が安定して実現される。
内側内壁２２および外側内壁２４は、笠木底面５４と交差する方向（挿入方向ＤＰ）に位置し、内側内壁２２および外側内壁２４に合わせて内側柱３４および外側柱３６は位置する。つまり、内側内壁２２、外側内壁２４は、笠木底面５４に対して直交する方向に位置させるので位置決め精度と嵌め込み強度を向上できる。
柱状部３２は、互いに分離され、内側内壁２２に当接する内側柱３４と、外側内壁２４に当接する外側柱３６と、を有する。内側柱３４と外側柱３６は、内側柱３４と外側柱３６が一体とされた場合に比べて、それぞれの可撓性を得やすくなるので、柱状部３２は全体として、凹部２０へ挿入されるときの摺動性を向上しやすい。このため、柱状部３２は、凹部２０への挿入が容易となり、作業性を向上させる。つまり、柱状部３２は、内側柱３４と外側柱３６とが分離された状態であることが好ましい。
内側柱３４および外側柱３６の厚みは、仕切り部１０の厚み（笠木５２間の隙間）に等しいので、挿入の際の摺動性の精度の確保と、挿入後の位置決め強度を確保しやすい。
なお、柱状部３２は、内側柱３４と外側柱３６とが一体とされた１本の状態で凹部２０に保持（挿入）されることも可能である。このとき、内側柱３４および外側柱３６の２本で実現する可撓性を得るように、柱状部３２の形状、材料などを適切に設定することが好ましい。
内側内壁２２と内側柱３４との間、外側内壁２４と外側柱３６との間は適宜の摩擦面とすることによって、凹部２０への柱状部３２の挿入、保持が容易になされる。
【００１７】
内側内壁２２および外側内壁２４は、固定ピッチで複数回繰り返される凹凸部２６をそれぞれ有し、内側内壁２２に当接する内側柱３４の内側面３４ｆは、凹凸部２６に嵌る複数の突起部３４ｐを有し、外側内壁２４に当接する外側柱３６の外側面３６ｆは、凹凸部２６に嵌る複数の突起部３６ｐを有する。
凹凸部２６は、固定ピッチで複数回繰り返されるので、位置決めの精度を向上しやすい。また、突起部３４ｐ、突起部３６ｐは、複数とすることで強度を確保し摺動性の信頼性を向上しやすい。
内側柱３４の内側面３４ｆは、内側内壁２２に当接し、外側柱３６の外側面３６ｆは、外側内壁２４に当接する。内側内壁２２と外側内壁２４は、挿入方向ＤＰに沿って固定ピッチで繰り返される凹凸部２６を有し、内側面３４ｆおよび外側面３６ｆは、それぞれ、凹凸部２６に嵌る複数の突起部３４ｐ（突起部３６ｐ）を有する。このため、凹凸部２６と突起部３４ｐ（突起部３６ｐ）との間は柱（内側柱３４、外側柱３６）による可撓性に加えて適宜の摺動性と固定保持性とを持ちやすい。したがって、適宜の外力で柱状部３２を凹部２０に挿入し、凹部２０で柱状部３２を保持して位置決めしやすくできる。つまり、遮蔽板部３８の位置を適切に調節しやすく、作業現場での作業性を向上しやすい。
凹凸部２６の凹の繰り返しピッチと、突起部３４ｐまたは突起部３６ｐの繰り返しピッチとは同一であることが好ましい。これにより、突起部３４ｐまたは突起部３６ｐは、凹凸部２６が有する凹の位置に高い精度で嵌りやすくなるので、摺動性と保持性を確保しやすい。繰り返し数は、凹凸が例えば１０〜１５回であり、突起部３４ｐまたは突起部３６ｐは、例えば１０〜１５個である。繰り返しの範囲は、必要に応じて設定される。
【００１８】
凹凸部２６（図３）は、三角波の波形状であり、突起部３４ｐまたは突起部３６ｐ（図４）は、凹凸部２６が有する凹の位置に嵌る錐形状である。
凹凸部２６は柱状部３２の挿入方向ＤＰに沿って三角波の形状を有するので、規則正しく繰り返される。また、内側柱３４の内側面３４ｆおよび外側柱３６の外側面３６ｆは、凹凸部２６と同一のピッチで繰り返され、凹凸部２６に嵌る錐形状の突起部３４ｐ（突起部３６ｐ）を有する。これにより、凹凸部２６に対する突起部３４ｐ（突起部３６ｐ）の摺動性と位置決めが精度良く実現される。したがって、柱状部３２は、凹部２０に対して円滑な挿入と確実な保持を実現しやすい。
突起部３４ｐおよび突起部３６ｐは、遮蔽板部３８に対する平面視で三角形（図４（Ａ）参照）であり、底辺は、柱（内側柱３４、外側柱３６の厚み（幅寸法Ｗｓに沿う方向））と同等であるので強度を確保しやすい。また、挿入方向ＤＰにおける突起部３４ｐおよび突起部３６ｐの繰り返しピッチ（底辺）は、内側柱３４および外側柱３６の厚みより小さい（図４（Ｂ））ので摺動性を向上し、高い精度での位置決めをしやすい。つまり、突起部３４ｐおよび突起部３６ｐは、根本が連続する略四辺形で先端は錐状に集束した頂点を有する。なお、本実施の形態における錐形状に関する開示は一例に過ぎず、これに限るものではない。
【００１９】
［実施の形態２］図６〜図９
図６〜図９を参照して、本発明の実施の形態２に係る笠木連結構造体５（図９）およびその形成方法（形成工程）について説明する。笠木連結構造体５は、２つの笠木５２の間に笠木接合部材１を介在させて２つの笠木５２を連結する工程によって形成される。
なお、基本的な構成は実施の形態１と同様であるので同一の構成には同一の符号を付し、主に異なる事項について説明する。
図６は、本発明の実施の形態２に係る笠木連結構造体５の形成方法を示し、笠木５２ｐ（他の笠木５２と区別する必要がないときは、単に笠木５２とすることがある。）を取付壁６０に取り付けた後、仕切り部１０を笠木５２ｐに取り付けるときの工程を示し、笠木５２ｐに仕切り部１０を取り付ける前の状態を模式的に示す模式工程図である。
取付壁６０は、水平状態の端部６１（図上符号は省略）と傾斜した端部６１とを有する。水平状態の端部６１には、笠木５２ｐが既に載置された状態となっている。
笠木５２ｐには、傾斜した端部６１に次の笠木５２ｑ（図８。他の笠木５２と区別する必要がないときは、単に笠木５２とすることがある。）が連結される。笠木５２ｐと笠木５２ｑとの間には、笠木接合部材１（図８、図９）を配置することで笠木の作用を更に確保しやすい。このため、この工程では、笠木接合部材１を構成する仕切り部１０が笠木５２ｐに取り付けられる。仕切り部１０は、笠木５２ｐに取り付けられる直前の移動中の状態として模式的に示される。
【００２０】
図７は、図６に示した工程の後、一方の笠木５２ｐに固定された仕切り部１０に底面遮蔽部材３０を挿入するときの工程を示し、仕切り部１０に一対の底面遮蔽部材３０を挿入する前の状態を模式的に示す模式工程図である。
笠木５２に例えば接着剤で取り付けられた仕切り部１０（凹部２０。図上符号は省略）に対して底面遮蔽部材３０を組み立てる状態が示される。一対の底面遮蔽部材３０は、仕切り部１０に対して挿入される。底面遮蔽部材３０は、仕切り部１０に挿入される直前の移動中の状態として模式的に示される。
【００２１】
図８は、図７に示した工程の後、他方の笠木５２ｑを笠木接合部材１に連結するときの工程を示し、笠木接合部材１に対して他方の笠木５２ｑを位置合わせする状態を模式的に示す模式工程図である。
笠木５２ｐと、笠木５２ｐに取り付けられた笠木接合部材１（仕切り部１０に底面遮蔽部材３０が挿入された状態）とが設置された状態となっている。次に、笠木接合部材１（笠木５２ｐ）に対して笠木５２ｑが設置される。笠木５２ｑは、傾斜した端部６１に位置決めされる。笠木５２ｑは、更に笠木接合部材１に対して位置決めされ、笠木接合部材１（笠木５２ｐ）に連結される。これにより、笠木５２ｑは、笠木５２ｐに連結される。笠木５２ｑは、笠木接合部材１に接合される直前の移動中の状態として模式的に示される。
【００２２】
図９は、図８に示した工程の後、一方の笠木５２ｐに連結された笠木接合部材１と、笠木接合部材１に更に連結された他方の笠木５２ｑとで笠木連結構造体５が形成された状態を模式的に示す斜視図である。
笠木接合部材１を介して、笠木５２ｐに笠木５２ｑが連結され、笠木連結構造体５が形成された状態が示される。
笠木５２ｐと笠木５２ｑの間には笠木接合部材１が介在して配置されるので、笠木５２ｐと笠木５２ｑとの間の隙間は笠木接合部材１によって埋められ、下方にできる散部５４ｂ（図５（Ａ））を底面遮蔽部材３０によって外部から遮蔽しやすい。なお、底面遮蔽部材３０は、挿入方向ＤＰにおける外力を加えることによって適宜の位置に位置決めされる。
【００２３】
［実施の形態３］図１０、図１１
図１０および図１１を参照して、本発明の実施の形態３に係る笠木連結構造体５について説明する。なお、基本的な構成は実施の形態１、実施の形態２と同様であるので同一の構成には同一の符号を付し、主に異なる事項について説明する。
図１０は、本発明の実施の形態３に係る笠木連結構造体５の構造例を模式体に示す斜視図である。
笠木連結構造体５は、４つの笠木５２（笠木５２ｐ、笠木５２ｑ、笠木５２ｒ、笠木５２ｓ。これらを特に区別する必要がないときは単に笠木５２とする。）を備える。実施の形態１、実施の形態２では、単に２つの笠木５２を連結する場合の笠木連結構造体５について説明した。本実施の形態では、連結の状態として比較的多い他の配置状態を例示する。
接合部材位置ＰＳ１では、笠木５２ｐと笠木５２ｒとが連結され、間に笠木接合部材１が配置されている。接合部材位置ＰＳ２では、笠木５２ｐと笠木５２ｑとが連結され、間に笠木接合部材１が配置されている（実施の形態２と同一の状態である。）。接合部材位置ＰＳ３では、笠木５２ｑと笠木５２ｓとが連結され、間に笠木接合部材１が配置されている。
接合部材位置ＰＳ１では、笠木５２ｐと笠木５２ｒとは単一水平面において連結されている。２つの笠木が単一水平面で連結される場合は、笠木５２の長さ方向が互いに交差する。この場合、笠木接合部材１は、図１１に示すように出隅および入隅を有する形状となるので、実施の形態１、実施の形態２で示した底面遮蔽部材３０の対称性は有しない。この状態については図１１について更に後記する。
接合部材位置ＰＳ２、接合部材位置ＰＳ３では、２つの笠木５２は、平面視で直線状に配置される。この場合の笠木接合部材１は、実施の形態１、実施の形態２で記載した笠木接合部材１と同様である。笠木５２相互の配置は、実施の形態１、実施の形態２において説明されたとおりである。笠木５２ｐが水平面に位置するのに対して笠木５２ｑは傾斜面に位置する。また、笠木５２ｑが傾斜面に位置するのに対して笠木５２ｓは垂直面に位置する。
【００２４】
図１１は、図１０に示した笠木連結構造体５の単一水平面における連結状態を拡大して示す拡大平面図である。
上記したとおり、笠木５２ｐと笠木５２ｒとは、長さ方向において交差する配置を有する。したがって、間に配置される笠木接合部材１は、一方が出隅となり、他方が入隅となる。したがって、図示しない底面遮蔽部材３０は、出隅側と入隅側とで非対称の面積（形状）を有する。底面遮蔽部材３０が有する遮蔽板部３８の形状は、散部５４ｂの形状に応じて適宜設定される。上記したとおり、基本的な構成は同様であるので詳細な説明は省略する。
【産業上の利用可能性】
【００２５】
本発明に係る笠木接合部材および笠木連結構造体は、笠木を連結して取付壁の端部に取り付ける場合に有用である。
【符号の説明】
【００２６】
１  笠木接合部材
５  笠木連結構造体
１０  仕切り部
１２  底部
１４  頂部
１４ｃ  頂面被覆部
１６  側部
１６ｃ  側面被覆部
１７  下端
１８  下垂部
２０  凹部
２２  内側内壁
２４  外側内壁
２６  凹凸部
３０  底面遮蔽部材
３２  柱状部
３４  内側柱
３４ｆ  内側面
３４ｐ  突起部
３６  外側柱
３６ｆ  外側面
３６ｐ  突起部
３８  遮蔽板部
５２、５２ｐ、５２ｑ、５２ｒ、５２ｓ  笠木
５２ｔ  端面
５４  笠木底面
５４ｂ  散部
５６  笠木頂面
５８  笠木側面
６０  取付壁
６１  端部
ＤＰ  挿入方向
Ｌｓ  長さ寸法
ＰＳ１、ＰＳ２、ＰＳ３  接合部材位置
Ｗｓ  幅寸法
【図１】
2019052452.tif 000003
【図２】
2019052452.tif 000004
【図３】
2019052452.tif 000005
【図４】
2019052452.tif 000006
【図５】
2019052452.tif 000007
【図６】
2019052452.tif 000008
【図７】
2019052452.tif 000009
【図８】
2019052452.tif 000010
【図９】
2019052452.tif 000011
【図１０】
2019052452.tif 000012
【図１１】
2019052452.tif 000013